(57)【要約】【課題】ハウジングとケーブルの絶縁被覆との密着界面端部からの水分の浸透による水密不良の発見時間を短縮することができる水中受波器を得る。【解決手段】ケーブルの導体に接続され、音圧を電気信号に変換する受波素子１と、ケーブルの端部及び受波素子１を水密状態で収納するハウジング６と、ハウジング６とケーブルの絶縁被覆４との密着界面に配置され、ケーブルの導体と接続される導体部材５とを備えるものである。【選択図】図２
2007198738.tif 000002
【特許請求の範囲】
【請求項１】
ケーブルの導体に接続され、音圧を電気信号に変換する受波素子と、
前記ケーブルの端部及び前記受波素子を水密状態で収納するハウジングと、
前記ハウジングと前記ケーブルの絶縁被覆との密着界面に配置され、前記ケーブルの導体と接続される導体部材と
を備えることを特徴とする水中受波器。
【請求項２】
前記導体部材は、前記ケーブルの絶縁被膜の外周部に環状に形成されることを特徴とする請求項１記載の水中受波器。
【請求項３】
請求項１又は２記載の水中受波器を備えたことを特徴とするソナー。
【発明の詳細な説明】
【技術分野】
【０００１】
本発明は、水中受波器に関し、特に、水密不良の検出に関するものである。
【背景技術】
【０００２】
従来の水中受波器は、例えば「音響電気変換素子である高分子圧電材を常温硬化ウレタンゴムで覆い、更に耐水性良好な外被ゴムで被覆したことを特徴とする受波器の防水構造。」が提案されている（例えば、特許文献１参照）。
【０００３】
【特許文献１】特開平６−１６５２８２号公報（請求項１、第１図）
【発明の開示】
【発明が解決しようとする課題】
【０００４】
しかしながら、従来の水中受波器には、次の問題点がある。
ケーブルと受波素子のハウジングにおいては、ケーブルの絶縁被覆とハウジングのモールド材又はゴムブーツ材等との界面が存在し、互いが密着して水密が保たれている。密着強度は量産した場合にどうしてもバラツキがでるものであり、初期不良を排除するために、耐水圧試験や温水浸漬試験などの初期不良排除試験を実施するが、仮に密着部の端面に剥離が生じても、そこから受波素子とケーブル導体の接続部まで水分が浸透するには長い時間が必要なため、短期間の初期不良排除試験では必ずしも密着界面の水密不良を検出できない、という問題点があった。
【０００５】
また、初期不良排除試験で密着部の剥離による水分の浸透が進行中の水密不良が検出できない場合に、水中受波器をソナーとして高水圧下である水深の深い海中で実際に使用した際、水分が受波素子とケーブル導体の接続部に到達し機能不良となる可能性が高くなる、という問題点があった。
【課題を解決するための手段】
【０００６】
本発明に係る水中受波器は、ケーブルの導体に接続され、音圧を電気信号に変換する受波素子と、ケーブルの端部及び受波素子を水密状態で収納するハウジングと、ハウジングとケーブルの絶縁被覆との密着界面に配置され、ケーブルの導体と接続される導体部材とを備えたものである。
【０００７】
また、本発明に係るソナーは、請求項１又は請求項２に記載の水中受波器を備えたものである。
【発明の効果】
【０００８】
本発明は、ハウジングとケーブルの絶縁被覆との密着界面に配置され、ケーブルの導体に接続される導体部材を備えたことにより、密着界面端部からの水分の浸透による水密不良の発見時間を短縮することができる。
【発明を実施するための最良の形態】
【０００９】
実施の形態１．
図１は本発明の実施の形態１における受波素子と導体部材のケーブル結線を示す図、図２は本発明の実施の形態１における導体部材の配置を示す図である。図において、受波素子１は、音圧が印可されると様々な変形が生じ、電気信号を誘発する機械・電気変換材料である。ケーブル導体２及びシールド線３は受波素子１と接続され、受波素子１からの電気信号を伝送し、受波素子１の電気信号を受信機等に入力する。また、受波素子１は＋，−，アース線の配線を有し、受波素子１とケーブル導体２の＋，−とがそれぞれ接続され、さらに、電気信号を安定させると共に外部からの浮遊雑音がカットするため、受波素子１からの電気信号を受け取る受信機等のアース（０Ｖ）と、受波素子１が出力する電気信号の０Ｖとが一致するよう、受信機等のアース端子が接続されたシールド線３と受波素子１のアース線とが接続される。尚、必要により、受波素子１とケーブル導体２の＋配線，−配線のみを接続し、受波素子１のアース線とシールド線３とを接続しなくても良い。ケーブル被覆４は、耐水性材質でありケーブル導体２及びシールド線３を絶縁被覆する。導体部材５は、導電性材質によりケーブル端部のケーブル被覆４の外周部に環状に形成され、受波素子１のアース線及びケーブルのシールド線３と接続される。ハウジング６は、ゴムモールド、ウレタンモールド、又は、ゴムブーツとゴムブーツ内部を音響油で満たすことにより構成され、受波素子１と、ケーブル導体２及びシールド線３の配線接続部、導体部材５を収納し、ケーブル被覆４と密着して形成される密着界面により水密状態に保つようにハウジングされる。尚、ハウジング６の材質、構成はこれに限らず、他の材質、構成を用いても良い。
【００１０】
次に水密不良の検出について説明する。
水中受波器の水密不良の検出は、耐水圧試験や温水浸漬試験等を行い、水中受波器を水中に配置し、ケーブル導体２の＋，−及びシールド線３の各配線間、及び、各配線と水との間の絶縁抵抗を計測し、絶縁抵抗値が規定値を下回ったときには水分が浸透している、即ち、ハウジングの水密不良と判断する。図２に示すように、ケーブル被覆４とハウジング６との密着界面端部より水分の浸透があった場合、密着界面端部から導体部材５までの距離である水密不良発見距離だけ水分が浸透したとき、導体部材５が接続されるシールド線３と水との絶縁抵抗が低下し、水密不良が検出される。
【００１１】
以上のように、本実施の形態１においては、導体部材５をケーブル被覆４とハウジング６との密着界面に配置したことにより、密着界面端部からの水分の浸透を検出する間での浸透距離が短くなり、水密不良発見までの時間を短縮することができる。また、初期不良排除試験において密着部の剥離による水分の浸透が進行中の水密不良が検出できる可能性が高まり、水中受波器をソナーとして高水圧下である水深の深い海中で実際に使用した際、水分が受波素子とケーブル導体の接続部に到達し機能不良となる可能性が低くなる。
【００１２】
尚、上記説明では、導体部材５とシールド線３とを接続する場合を説明したが、本発明はこれに限るものではなく、導体部材５とケーブル導体２の＋配線又は−配線とを接続しても良い。
【００１３】
尚、上記説明では、導体部材５はケーブル被覆４の外周部に環状に形成した場合を説明したが、本発明はこれに限るものではなく、密着界面に配置する任意の形状の導体部材５を用いても良い。
【００１４】
実施の形態２．
図３は本発明の実施の形態２における水中受波器を備えたソナーの構成を示す図である。図において、水中受波器１０は、高水圧下である水深の深い海中に配置される本発明に係る水中受波器、ケーブル１１は、水中受波器１０の電気信号を伝送するケーブル、受信機１２は、海上の船などに配置され、水中受波器１０の電気信号を受信する受信機である。このように、本実施の形態２におけるソナーは、本発明に係る水中受波器１０を備えることにより、水分が水中受波器１０内部に浸透し機能不良となる可能性が低くなる。
【図面の簡単な説明】
【００１５】
【図１】本発明の実施の形態１における受波素子と導体部材のケーブル結線を示す図である。
【図２】本発明の実施の形態１における導体部材の配置を示す図である。
【図３】本発明の実施の形態２における水中受波器を備えたソナーの構成を示す図である。
【符号の説明】
【００１６】
１  受波素子、２  ケーブル導体、３  シールド線、４  ケーブル被覆、５  導体部材、６  ハウジング、１０  水中受波器、１１  ケーブル、１２  受信機。
【図１】
2007198738.tif 000003
【図２】
2007198738.tif 000004
【図３】
2007198738.tif 000005